(57)【要約】  残像（ＰｏＶ）ディスプレイパネル（１５５）は、各々第１、第２、第３、第４および第５のディスプレイ領域（１４０）を有する第１、第２、第３、第４および第５のＰｏＶディスプレイユニット（１００）を含む。第１、第２、第３および第４のＰｏＶディスプレイユニット（１００）は、それらの個々のディスプレイ領域（１４０）が少なくとも１つのディスプレイ平面内に２ｘ２アレイを形成し、かつそれらの個々のディスプレイ領域により境界をつけられるディスプレイ領域のボイド（１５０）を形成するように配置される。第５のＰｏＶディスプレイユニット（１００）は、第５のディスプレイ領域（１４０）が、少なくとも１つのディスプレイ平面からオフセットされかつディスプレイ領域のボイド（１５０）に対応するように配置される。
2021529335.tif 000002
【特許請求の範囲】
【請求項１】
各々第１、第２、第３、第４および第５のディスプレイ領域を有する第１、第２、第３、第４および第５の残像：ＰｏＶディスプレイユニットを含むＰｏＶディスプレイパネルであって、
前記第１、第２、第３および第４のＰｏＶディスプレイユニットは、それらの個々のディスプレイ領域が少なくとも１つのディスプレイ平面内に２ｘ２アレイを形成し、かつそれらの個々のディスプレイ領域により境界をつけられるディスプレイ領域のボイドを形成するように配置され、かつ、
前記第５のＰｏＶディスプレイユニットは、前記第５のディスプレイ領域が前記少なくとも１つのディスプレイ平面からオフセットされ、かつ前記ディスプレイ領域のボイドに対応するように配置される、ＰｏＶディスプレイパネル。
【請求項２】
前記第１、第２、第３、第４および第５のディスプレイ領域は、円形である、請求項１に記載のＰｏＶディスプレイパネル。
【請求項３】
前記第１、第２、第３、第４および第５のディスプレイ領域のサイズは、互いに同じである、請求項１または請求項２に記載のＰｏＶディスプレイパネル。
【請求項４】
前記第１、第２、第３、第４および第５のＰｏＶディスプレイユニットは、回転性のＰｏＶディスプレイユニットを含み、かつ前記第１、第２、第３、第４および第５のＰｏＶディスプレイユニットは、互いに同じ方向の回転に関連づけられる、請求項１〜請求項３のいずれかに記載のＰｏＶディスプレイパネル。
【請求項５】
前記ディスプレイ領域のボイドの境界は、サイズが等しい４つの凹形部分に対応し、各凹形部分は、４分の１円弧に対応する、請求項１〜請求項４のいずれかに記載のＰｏＶディスプレイパネル。
【請求項６】
前記第５のディスプレイ領域の中心は、前記ディスプレイ領域のボイドの中心と位置合わせされる、請求項１〜請求項５のいずれかに記載のＰｏＶディスプレイパネル。
【請求項７】
前記第５のディスプレイ領域は、前記少なくとも１つのディスプレイ平面の後にある、請求項１〜請求項６のいずれかに記載のＰｏＶディスプレイパネル。
【請求項８】
前記少なくとも１つのディスプレイ平面は、単一のディスプレイ平面から成る、請求項１〜請求項７のいずれかに記載のＰｏＶディスプレイパネル。
【請求項９】
前記第１、第２、第３および第４のＰｏＶディスプレイユニットは、それらの個々のディスプレイ領域が重なり合わないように配置される、請求項１〜請求項８のいずれかに記載のＰｏＶディスプレイパネル。
【請求項１０】
前記ＰｏＶディスプレイパネルは、フレームを備え、前記第１、第２、第３、第４および第５のＰｏＶディスプレイユニットは、前記フレームへ取り付けられ、かつ前記フレームは、表面上へ取り付けられる、請求項１〜請求項９のいずれかに記載のＰｏＶディスプレイパネル。
【請求項１１】
前記フレームは、透明である、請求項１０に記載のＰｏＶディスプレイパネル。
【請求項１２】
前記表面には、床が含まれる、請求項１０または請求項１１に記載のＰｏＶディスプレイパネル。
【請求項１３】
前記表面には、壁が含まれる、請求項１０〜請求項１２のいずれかに記載のＰｏＶディスプレイパネル。
【請求項１４】
前記表面には、天井が含まれる、請求項１０〜請求項１３のいずれかに記載のＰｏＶディスプレイパネル。
【請求項１５】
少なくとも１つのさらなるディスプレイ領域を有する少なくとも１つのさらなるＰｏＶディスプレイユニットを備え、前記少なくとも１つのさらなるＰｏＶディスプレイユニットは、前記少なくとも１つのディスプレイ平面が前記少なくとも１つのさらなるディスプレイ領域を含むように配置される、請求項１〜請求項１４のいずれかに記載のＰｏＶディスプレイパネル。
【請求項１６】
少なくとも１つの追加的なディスプレイ領域を有する少なくとも１つの追加的なＰｏＶディスプレイユニットを備え、前記少なくとも１つの追加的なＰｏＶディスプレイユニットは、前記少なくとも１つの追加的なディスプレイ領域が前記少なくとも１つのディスプレイ平面からオフセットされるように配置される、請求項１〜請求項１５のいずれかに記載のＰｏＶディスプレイパネル。
【請求項１７】
前記少なくとも１つの追加的なディスプレイ領域および前記第５のディスプレイ領域は、互いに同じディスプレイ平面内にある、請求項１６に記載のＰｏＶディスプレイパネル。
【請求項１８】
請求項１〜請求項１７のいずれかに記載の複数のＰｏＶディスプレイパネルを備えるＰｏＶディスプレイシステム。
【発明の詳細な説明】
【技術分野】
【０００１】
本発明は、残像（ＰｏＶ）ディスプレイパネル、およびＰｏＶディスプレイシステムに関する。
【背景技術】
【０００２】
ＰｏＶは、画像の連続が脳により動画の形成として知覚される現象である。
【０００３】
ＰｏＶディスプレイユニットは、所定のサイズのディスプレイ領域内にＰｏＶ効果を生み出す。
【０００４】
より広いディスプレイ領域でＰｏＶ効果を生み出すためには、より大きいＰｏＶディスプレイユニットが使用され得る。しかしながら、より大きいＰｏＶディスプレイユニットの場合、安定性、安全性、他などの実用上の考慮事項が生じる。
【０００５】
ＰｏＶディスプレイユニットのサイズを大きくして、より大きいディスプレイ領域でＰｏＶ効果を生み出す代わりに、ＰｏＶディスプレイユニットの集合により提供される全体的なディスプレイ領域が単一のＰｏＶディスプレイユニットのディスプレイ領域より増大するように、複数のＰｏＶディスプレイユニットによる集合が使用される場合がある。複数のこうしたＰｏＶディスプレイユニットの集合は、より大きい単一のＰｏＶディスプレイユニットより安全性、安定性、他において優れていることがある。
【０００６】
しかしながら、複数のＰｏＶディスプレイユニットの集合を用いることに関しては、なおも実用上の考慮事項が存在する。このような実用上の考慮事項には、設置の容易さ、視覚的有効性、衝突によるＰｏＶディスプレイユニットの損傷のリスク、機械的複雑さ、機械的安定性、他が含まれるが、この限りではない。
【発明の概要】
【０００７】
本発明の第１の態様によれば、各々第１、第２、第３、第４および第５のディスプレイ領域を有する第１、第２、第３、第４および第５の残像：ＰｏＶディスプレイユニットを含むＰｏＶディスプレイパネルが提供されていて、
該第１、第２、第３および第４のＰｏＶディスプレイユニットは、それらの個々のディスプレイ領域が少なくとも１つのディスプレイ平面内に２ｘ２アレイを形成し、かつそれらの個々のディスプレイ領域により境界をつけられるディスプレイ領域のボイドを形成するように配置され、かつ、
第５のＰｏＶディスプレイユニットは、第５のディスプレイ領域が少なくとも１つのディスプレイ平面からオフセットされ、かつディスプレイ領域のボイドに対応するように配置される。
【０００８】
本発明の第２の態様によれば、本発明の第１の態様に従って提供されるＰｏＶディスプレイパネルを備えるＰｏＶディスプレイシステムが提供されている。
【０００９】
本発明のさらなる特徴および利点は、添付の図面を参照して行なう、単に例示として示す本発明の好ましい実施形態に関する以下の説明から明らかとなるであろう。
【図面の簡単な説明】
【００１０】
【図１】ＰｏＶディスプレイデバイスの一例をＰｏＶディスプレイデバイスの正面から示す略図である。
【図２】図１に示す例示的なＰｏＶディスプレイデバイスをＰｏＶディスプレイデバイスの下から示す略図である。
【図３】図１に示す例示的なＰｏＶディスプレイデバイスをＰｏＶディスプレイデバイスの正面から示す別の略図である。
【図４】ＰｏＶディスプレイデバイスの集合の一例をＰｏＶディスプレイデバイスの集合の正面から示す略図である。
【図５】図４に示すＰｏＶディスプレイデバイスの例示的な集合をＰｏＶディスプレイデバイスの集合の下から示す略図である。
【図６】本発明の実施形態によるＰｏＶディスプレイパネルの一例をＰｏＶディスプレイパネルの正面から示す略図である。
【図７】図６に示す例示的なＰｏＶディスプレイパネルをＰｏＶディスプレイパネルの下から示す略図である。
【図８】本発明の実施形態によるＰｏＶディスプレイパネルの別の例をＰｏＶディスプレイパネルの正面から示す略図である。
【図９】本発明の実施形態によるＰｏＶディスプレイパネルの別の例をＰｏＶディスプレイパネルの正面から示す略図である。
【図１０】図９に示す例示的なＰｏＶディスプレイパネルをＰｏＶディスプレイパネルの下から示す略図である。
【図１１】本発明の実施形態によるＰｏＶディスプレイパネルの別の例をＰｏＶディスプレイパネルの正面から示す略図である。
【発明を実施するための形態】
【００１１】
図１および図２を参照すると、各々、ある例示的なＰｏＶディスプレイユニット１００の正面図および下面図が略示されている。
【００１２】
本例において、ＰｏＶディスプレイユニット１００は、本体１０５を備える。本体１０５は、ＰｏＶディスプレイユニット１００の１つまたは複数のコンポーネントを収容する。このようなコンポーネントの一例は、モータである。
【００１３】
本例において、ＰｏＶディスプレイユニット１００は、４つのアーム１１０、１１５、１２０、１２５を備える。しかしながら、他の例において、ＰｏＶディスプレイユニット１００は、異なる数のアームを含んでもよい。
【００１４】
本例では、４つのアーム１１０、１１５、１２０、１２５が同一平面において互いに十字構成として配置されている。十字構成は、ディスプレイユニット１００に対して対称性および平衡を与え、これにより、ＰｏＶディスプレイユニット１００の操作が事実上容易になり得る。しかしながら、ＰｏＶディスプレイユニット１００は、異なる方式で配置される１つまたは複数のアームを備えてもよい。たとえば、ＰｏＶディスプレイユニット１００は、たとえば、アーム１１０およびアーム１２０にのみ対応する２つのアームを備えてもよい。
【００１５】
本例において、各アーム１１０、１１５、１２０、１２５は、複数の発光エレメント１３５を備える。この特有の例において、各アーム１１０、１１５、１２０、１２５は、例示のために、７つの発光エレメント１３５を備えるものとして示されている。しかしながら、他の例において、アーム１１０、１１５、１２０、１２５は、異なる数の発光エレメント１３５を備えてもよい。たとえば、ＰｏＶディスプレイユニット１００は、実際には、所望される解像度および有効なＰｏＶ効果を提供するために、何百もの発光エレメント１３５を備えてもよい。
【００１６】
本例において、７つの発光エレメント１３５は、各アーム１１０、１１５、１２０、１２５上へ線形的に配置されている。しかしながら、発光エレメント１３５は、異なる方式で配置されてもよい。たとえば、発光エレメント１３５は、各アーム１１０、１１５、１２０、１２５上の複数の線列で配置されてもよい。他の例において、発光エレメント１３５は、非線形的に配置されてもよい。
【００１７】
発光エレメント１３５は、発光ダイオード（ＬＥＤ）を備えてもよい。
【００１８】
発光エレメント１３５の配置および／または性質は、ＰｏＶディスプレイユニット１００に目標解像度および／または色表現能力を提供するように選択されてもよい。
【００１９】
本例において、発光エレメント１３５は、アーム１１０、１１５、１２０、１２５の各々の外端まで延在する。これにより、アーム１１０、１１５、１２０、１２５の外端までＰｏＶ効果を提供することが可能にされ得る。しかしながら、他の例において、発光エレメント１３５は、アーム１１０、１１５、１２０、１２５の各々の外端より内側の点まで延在してもよい。
【００２０】
本例では、発光エレメント１３５がＰｏＶディスプレイユニット１００の中心まで延在していない。したがって、ＰｏＶディスプレイユニット１００の中心には、発光エレメント１３５の不在に起因する「穴」が存在する。しかしながら、他の例では、より完全なＰｏＶ効果を提供するために、ＰｏＶディスプレイユニット１００の中心に１つまたは複数の発光エレメント１３５が提供されてもよい。
【００２１】
この例において、ＰｏＶディスプレイユニット１００は、回転性のＰｏＶディスプレイユニットを備える。言い替えれば、この例において、ＰｏＶディスプレイユニット１００は、ＰｏＶ効果を、アーム１１０、１１５、１２０、１２５に本体１０５の周りを回転させることによって提供する。回転速度は、ＰｏＶディスプレイユニット１００のアーム１１０、１１５、１２０、１２５の数に依存し得る。たとえば、アームの数が比較的少ないＰｏＶディスプレイユニット１００は、アームの数が比較的多いＰｏＶディスプレイユニット１００より高い回転速度を有し得る。しかしながら、ＰｏＶディスプレイユニット１００は、異なって構成されてもよい。たとえば、ＰｏＶディスプレイユニット１００としては、１つまたは複数のアームが掃引運動を実行してＰｏＶ効果を提供するように構成される線形ＰｏＶディスプレイユニットが含まれてもよい。このような掃引運動は、左右、上下、他であってもよい。
【００２２】
本例において、アーム１１０、１１５、１２０、１２５は、纏めて本体１０５へ回転可能式に結合されている。したがって、使用に際して、アーム１１０、１１５、１２０、１２５は、たとえば本体１０５内のモータにより駆動されて本体１０５の周りを回転してもよい。本例において、アーム１１０、１１５、１２０、１２５は、本体１０５の周りを一致して（または「一体となって」）回転するように配置されている。アーム１１０、１１５は、時計回り方向のみ、反時計回り（または「逆時計回り」）方向のみに回転できる場合もあれば、異なる時間に時計回り方向および反時計回り方向の双方で回転できる場合もある。
【００２３】
本明細書に記述する例示的なディスプレイユニット１００に同じ、または類似する特徴を有し得るＰｏＶディスプレイ装置に関するＰＣＴ特許出願第ＰＣＴ／ＧＢ２０１５／０５０８４３号明細書（国際公開出願第２０１５／１４０５７８号パンフレット）を参照されたい。なお、該出願は、参照によりその内容の全体が開示に含まれる。
【００２４】
図３を参照すると、図１に示す例示的なＰｏＶディスプレイユニット１００の正面図が略示されていて、ＰｏＶディスプレイユニット１００は、ディスプレイ領域１４０を有する。
【００２５】
ディスプレイ領域１４０は、ＰｏＶディスプレイユニット１００がＰｏＶ効果を提供する領域に対応する。
【００２６】
本例において、ディスプレイ領域１４０は、円形である。しかしながら、ディスプレイ領域１４０は、異なる形状であり得る。たとえば、ＰｏＶディスプレイユニット１００が１つまたは複数の掃引アームを有する例では、ディスプレイ領域１４０が長方形であってもよい。
【００２７】
図４および図５を参照すると、各々、ある例示的なＰｏＶディスプレイユニットの集合１４５の正面図および下面図が略示されている。
【００２８】
図４および図５に示す各ＰｏＶディスプレイユニットは、図１〜図３を参照して先に述べた例示的なディスプレイユニット１００に対応する。
【００２９】
本例において、ＰｏＶディスプレイユニットの集合１４５は、４つのＰｏＶディスプレイユニットから成り、文字「Ａ」、「Ｂ」、「Ｃ」および「Ｄ」は、図４および図５において各々第１〜第４のディスプレイユニットを指して使用される。
【００３０】
本例において、ＰｏＶディスプレイユニットは、それらの個々のディスプレイ領域が２ｘ２アレイを形成するように配置される。
【００３１】
本例において、ＰｏＶディスプレイユニットは、２ｘ２アレイが少なくとも１つのディスプレイ平面内にあるように配置される。
【００３２】
図５において最もよく分かるように、本例では、少なくとも１つのディスプレイ平面が単一のディスプレイ平面から成る。言い替えれば、本例では、ディスプレイ領域が全て単一の（または「共通の」）ディスプレイ平面内に含まれる。これは、ディスプレイ領域が複数のディスプレイ平面内に含まれる場合より視覚的効果を高めることができ、かつよりコンパクトな配置を提供することができる。
【００３３】
本例において、ＰｏＶディスプレイユニットは、それらの個々のディスプレイ領域がディスプレイ領域のボイド１５０を形成するように配置される。ディスプレイ領域のボイド１５０は、ディスプレイ領域によって境界をつけられる。ディスプレイ領域のボイド１５０は、ＰｏＶディスプレイユニットが回転する際に、ＰｏＶディスプレイユニットの何れの発光エレメントもディスプレイ領域のボイド１５０を通過しないことから形成される。本例において、ディスプレイ領域のボイド１５０内にはＰｏＶ効果が提供されない。
【００３４】
本例において、ディスプレイ領域のボイド１５０の境界は、サイズが等しい４つの凹形部分に対応し、各凹形部分は、４分の１円弧に対応する。
【００３５】
本例において、ＰｏＶディスプレイユニットは、それらの個々のディスプレイ領域が重なり合わないように配置される。したがって、本例では、ＰｏＶディスプレイユニットが回転しても、それらの個々のアームは、互いに衝突しない。さらに、後に詳述するように、これらのＰｏＶディスプレイユニットに関連づけられる全体的な（または「組み合わされた」）ディスプレイ領域は、ディスプレイ領域のうちの少なくとも幾つかが互いに重なり合う配置より大きくなり得る。
【００３６】
図６および図７を参照すると、各々、ある例示的なＰｏＶディスプレイパネル１５５の正面図および下面図が略示されている。
【００３７】
図６および図７に示す各ＰｏＶディスプレイユニットは、図１〜図３を参照して先に述べた例示的なディスプレイユニット１００に対応する。
【００３８】
本例において、ＰｏＶディスプレイパネルの集合１５５は、５つのＰｏＶディスプレイユニットから成り、文字「Ａ」、「Ｂ」、「Ｃ」、「Ｄ」および「Ｅ」は、図６および図７において各々第１〜第４のディスプレイユニットを指して使用される。
【００３９】
第１〜第５のＰｏＶディスプレイユニットは、各々、第１〜第５のディスプレイ領域を有する。
【００４０】
第５のＰｏＶディスプレイユニットは、第５のディスプレイ領域が、第１〜第４のディスプレイ領域が配置される少なくとも１つのディスプレイ平面からオフセットされるように配置される。したがって、第１〜第４のディスプレイ領域が単一のディスプレイ平面内に配置される本例では、第５のＰｏＶディスプレイユニットは、第５のディスプレイ領域が、第１〜第４のディスプレイ領域が配置される単一のディスプレイ平面からオフセットされるように配置される。これにより、第５のＰｏＶディスプレイユニットに関わる衝突の低減が促進され得る。
【００４１】
本例において、第５のディスプレイ領域が少なくとも１つのディスプレイ平面からオフセットされることは、第５のディスプレイ領域がこの少なくとも１つのディスプレイ平面の後に存在することを含む。本例において、第５のディスプレイ領域の少なくとも一部は、ディスプレイ領域のボイドから見える。他の例において、第５のディスプレイ領域が少なくとも１つのディスプレイ平面からオフセットされることは、第５のディスプレイ領域がこの少なくとも１つのディスプレイ平面の前に存在することを含む。
【００４２】
第５のディスプレイ領域が少なくとも１つのディスプレイ平面の後にあることは、第５のディスプレイ領域が少なくとも１つのディスプレイ平面の前にある場合よりもＰｏＶディスプレイパネル１５５が機械的により堅牢になることを可能にし得る。これは、第５のディスプレイ領域を少なくとも１つのディスプレイ平面の前に提供するためには、第５のＰｏＶディスプレイユニットの本体が少なくとも１つのディスプレイ平面の後に設けられ得、かつ第５のＰｏＶディスプレイユニットの１つまたは複数のアームが少なくとも１つのディスプレイ平面の前に設けられ得ることによる。これは、ディスプレイ領域のボイドを介して比較的長いシャフトを延在させることを含み得、この場合のシャフトは、第５のＰｏＶディスプレイユニットの１つまたは複数のアームが少なくとも１つのディスプレイ平面の後に設けられる場合の比較的短いシャフトの使用に比較すると、機械的に不安定であり得る。
【００４３】
ＰｏＶディスプレイユニットが、それらの個々のディスプレイ領域が複数のディスプレイ平面内に２ｘ２アレイを形成するように配置される実施例では、第５のディスプレイ領域を複数のディスプレイ平面からオフセットさせることが、第５のディスプレイ領域を複数のディスプレイ平面の前、間または後に置くことを含み得る。
【００４４】
第５のＰｏＶディスプレイユニットは、第５のディスプレイ領域がディスプレイ領域のボイドに対応するようにも配置される。第５のディスプレイ領域がディスプレイ領域のボイドに対応することは、第５のディスプレイ領域がディスプレイ領域のボイドにおいて視聴者にＰｏＶ効果を提供することを含み得る。
【００４５】
図６から分かるように、第５のＰｏＶディスプレイユニットは、第５のＰｏＶディスプレイユニットが回転するにつれて、第５のＰｏＶディスプレイユニットのアームが第１〜第４のＰｏＶディスプレイユニットの何れの本体とも衝突しないように配置される。
【００４６】
本例において、第５のディスプレイ領域の中心は、ディスプレイ領域のボイドの中心と位置合わせされている。これは、第５のＰｏＶディスプレイユニットと第１〜第４のＰｏＶディスプレイの本体との間に等間隔を有することにより、衝突のリスクを低減し得る。他の例では、第５のディスプレイ領域の中心が、ディスプレイ領域のボイドの中心と位置合わせされる場合がある。
【００４７】
本例において、５つのディスプレイ領域のサイズは、互いに同じである。これは、ディスプレイパネル１５５を提供するために１つのサイズのＰｏＶディスプレイユニットを製造するだけでよいという理由で、ディスプレイパネル１５５の製造を容易にし得る。これは、ＰｏＶディスプレイユニットの類似セットの何れをも他の何れかの代わりに交換可能に使用し得るという理由で、ディスプレイパネル１５５の組立ておよび／または設置をも容易にし得る。
【００４８】
他の実施例では、５つのディスプレイ領域のうちの幾つか、または全てのサイズが互いに異なる。たとえば、第１〜第４のディスプレイ領域が全て互いに同じサイズであって、第５のディスプレイ領域が異なるサイズであることもある。こうした実施例において、第５のＰｏＶディスプレイユニットは、第５のディスプレイ領域が少なくともディスプレイ領域のボイドのサイズになるように選択されてもよい。したがって、正面から見ると、視聴者には、ディスプレイパネル１５５がギャップのないディスプレイ領域を提供するように見え得る。ＰｏＶディスプレイパネル１５５が提供するディスプレイ領域は、視聴者からすると、ＰｏＶディスプレイパネル１５５の外周内に連続的なディスプレイ領域が存在するという意味において、ギャップがないものと見なされ得る。実際には、ディスプレイ領域内に１つまたは複数の小さいディスプレイ領域のボイドが存在し得るが、それでも視聴者には、ディスプレイ領域のボイドがギャップのないものとして知覚される。たとえば、こうしたディスプレイ領域のボイドは、存在しているとしても、視聴者に気付かれ得ないことがある。
【００４９】
図８を参照すると、別の例示的なディスプレイパネル１５５の下面図が略示されている。
【００５０】
図８に示すディスプレイパネル１５５には、図６および図７を参照して先に述べたディスプレイパネル１５５と共通する幾つかの特徴がある。
【００５１】
しかしながら、本例の場合、ＰｏＶディスプレイパネル１５５は、フレーム１６０をさらに備える。本例において、５つのＰｏＶディスプレイユニットは、フレーム１６０に取り付けられる。フレーム１６０は、透明であってもよい。透明なフレーム１６０は、不透明なフレームよりもＰｏＶ効果を維持し得る。これは、視聴者が透明なフレームに気付き得ないこと、または、少なくとも透明なフレームの方が不透明なフレームよりも気付かれにくい場合があることによる。
【００５２】
フレーム１６０は、表面１６５に取り付けられてもよい。表面１６５としては、床、壁および／または天井が含まれてもよい。したがって、ＰｏＶディスプレイパネル１５５は、有効なＰｏＶ効果を提供するように都合良く取り付けられてもよい。こうして取り付けられると、ＰｏＶディスプレイパネル１５５により表示されるコンテンツは、空中に浮かんで見えることがある。
【００５３】
図９および図１０を参照すると、各々、ＰｏＶディスプレイパネル１５５の別の実施例の正面図および下面図が略示されている。
【００５４】
図９および図１０に示すディスプレイパネル１５５には、図６および図７を参照して先に述べたディスプレイパネル１５５と共通する幾つかの特徴がある。
【００５５】
しかしながら、本例において、第１〜第４のＰｏＶディスプレイユニットは、それらの個々のディスプレイ領域のうちの一部が重なり合うように配置される。具体的には、本例において、第１のディスプレイ領域は、第２のディスプレイ領域に重なり、第３のディスプレイ領域は、第４のディスプレイ領域に重なっている。本例において、第１および第２のディスプレイ領域と、第３および第４のディスプレイ領域とは、ＰｏＶディスプレイパネル１５５の視聴者から見ればディスプレイ領域が重なっているということにおいて、重なっている。
【００５６】
本例において、第１〜第４のＰｏＶディスプレイユニットは、それらの個々のディスプレイ領域のうちの一部が重なり合わないように配置される。具体的には、本例において、第１および第３のディスプレイ領域は、重ならず、第２および第４のディスプレイ領域も重なっていない。
【００５７】
図９からは、第１および第２のディスプレイ領域間ならびに第３および第４のディスプレイ領域間の双方に重複があるものの、第５のＰｏＶディスプレイユニットは、第５のＰｏＶディスプレイユニットが回転するにつれて、第５のＰｏＶディスプレイユニットのアームが第１〜第４のＰｏＶディスプレイユニットの何れの本体とも衝突しないように配置されることが分かる。
【００５８】
図１１を参照すると、ＰｏＶディスプレイパネル１５５の別の実施例の正面図が略示されている。
【００５９】
本例において、ＰｏＶディスプレイパネル１５５は、各々が個々のディスプレイ領域を有する複数のさらなるＰｏＶディスプレイユニットを備える。複数のさらなるＰｏＶディスプレイユニットは、第１〜第４のディスプレイ領域が配置される少なくとも１つのディスプレイ平面が、複数のさらなるＰｏＶディスプレイユニットの個々のディスプレイ領域を含むように配置される。
【００６０】
本例において、ＰｏＶディスプレイパネル１５５は、各々が個々のディスプレイ領域を有する複数の追加的なＰｏＶディスプレイユニットを備える。複数の追加的なＰｏＶディスプレイユニットは、それらの個々のディスプレイ領域が、第１〜第４のディスプレイ領域および複数のさらなるディスプレイ領域が含まれる少なくとも１つのディスプレイ平面からオフセットされるように配置される。
【００６１】
したがって、各々第１、第２、第３、第４および第５のディスプレイ領域を有する第１、第２、第３、第４および第５のＰｏＶディスプレイユニットを含むＰｏＶディスプレイパネルが提供され得る。第１、第２、第３および第４のＰｏＶディスプレイユニットは、それらの個々のディスプレイ領域が少なくとも１つのディスプレイ平面内に２ｘ２アレイを形成し、かつそれらの個々のディスプレイ領域により境界をつけられるディスプレイ領域のボイドを形成するように配置される。第５のＰｏＶディスプレイユニットは、第５のディスプレイ領域が、少なくとも１つのディスプレイ平面からオフセットされかつディスプレイ領域のボイドに対応するように配置される。複数のコンポーネントたるＰｏＶディスプレイユニットを含むＰｏＶディスプレイパネルは、１つの大きいＰｏＶディスプレイユニットを用いる場合よりも比較的安全かつ安定していて、しかも同時に比較的大きいディスプレイ領域を提供し得る。第１〜第５のＰｏＶディスプレイユニットの相対的配置は、５つのＰｏＶディスプレイユニットによる他の可能な配置に比べて、より少ない数のＰｏＶディスプレイユニットを用いて、より大きい、ギャップのないディスプレイ領域を提供する。
【００６２】
第１、第２、第３、第４および第５のディスプレイ領域は、円形であってもよい。第１〜第５のＰｏＶディスプレイユニットの上述の配置は、第１〜第５のディスプレイ領域が円形である場合に特に効果的であるが、この限りではない。
【００６３】
第１、第２、第３、第４および第５のディスプレイ領域のサイズは、互いに同じであってもよい。これは、第１〜第５のＰｏＶディスプレイユニットの何れにも類似のＰｏＶディスプレイユニットを使用し得るという理由で、ＰｏＶディスプレイパネルの製造、組立ておよび／または設置を容易にすることができる。
【００６４】
第１、第２、第３、第４および第５のＰｏＶディスプレイユニットは、回転性のＰｏＶディスプレイユニットを含み得、かつ第１、第２、第３、第４および第５のＰｏＶディスプレイユニットは、互いに同じ方向の回転に関連づけられる。これは、第１〜第５のＰｏＶディスプレイユニットの何れにも類似のＰｏＶディスプレイユニットを使用し得るという理由で、ＰｏＶディスプレイパネルの製造、組立ておよび／または設置を容易にすることができる。
【００６５】
ディスプレイ領域のボイドの境界は、サイズが等しい４つの凹形部分に対応し得、各凹形部分は、４分の１円弧に対応する。第１〜第５のＰｏＶディスプレイユニットの上述の配置は、ＰｏＶ効果がこうしたディスプレイ領域のボイドに対して提供されることを可能にする。
【００６６】
第５のディスプレイ領域の中心は、ディスプレイ領域のボイドの中心と位置合わせされてもよい。これにより、第５のＰｏＶディスプレイユニットに関わる衝突の低減を促進することができる。
【００６７】
第５のディスプレイ領域は、少なくとも１つのディスプレイ平面の後にあってもよい。これは、たとえば、第５のディスプレイ領域が少なくとも１つのディスプレイ平面の前にあることに比較して、機械的により堅牢なＰｏＶディスプレイパネルを提供し得る。
【００６８】
少なくとも１つのディスプレイ平面は、単一のディスプレイ平面で構成されてもよい。これは、複数のディスプレイ平面から成る少なくとも１つのディスプレイ平面と比較して、よりコンパクトなＰｏＶディスプレイパネルを提供し得、かつ強化された視覚効果を提供し得る。
【００６９】
第１、第２、第３および第４のＰｏＶディスプレイユニットは、それらの個々のディスプレイ領域が重なり合わないように配置されてもよい。この配置は、５つのＰｏＶディスプレイユニットに比較的大きい全体的なディスプレイ領域を提供し得る。あるいは、または追加的に、この配置は、第１〜第４のＰｏＶディスプレイユニットに関連する衝突の低減を促進し得る。
【００７０】
ＰｏＶディスプレイパネルは、フレームを備えてもよい。第１、第２、第３、第４および第５のＰｏＶディスプレイユニットは、このフレームに取り付けられてもよい。フレームは、表面に取り付けられてもよい。したがって、表面上へＰｏＶディスプレイパネルを取り付ける際には、フレームによって表面からある程度分離させる対策が講じられる。こうして取り付けられると、ＰｏＶディスプレイパネルにより表示されるコンテンツは、空中に浮かんで見えることがある。
【００７１】
フレームは、透明であってもよい。このようなフレームは、第１〜第５のＰｏＶディスプレイユニットにより提供されるＰｏＶ効果を下げないこと、または少なくとも該ＰｏＶ効果による視覚的注意散漫を限定的にすることによって、ＰｏＶディスプレイパネルの効果を高める。
【００７２】
表面としては、床、壁および／または天井が含まれてもよい。これにより、ＰｏＶディスプレイパネルにより表示されるコンテンツが空中に浮かんでいるような見せかけ、または錯覚を促進させることができる。
【００７３】
ＰｏＶディスプレイパネルは、少なくとも１つのさらなるディスプレイ領域を有する少なくとも１つのさらなるＰｏＶディスプレイユニットを備えてもよい。少なくとも１つのさらなるＰｏＶディスプレイユニットは、少なくとも１つのディスプレイ平面が少なくとも１つのさらなるディスプレイ領域を含むように配置されてもよい。したがって、このディスプレイパネルの全体的なディスプレイ領域は、効率的な方法で効果的に拡張されてもよい。
【００７４】
ＰｏＶディスプレイパネルは、少なくとも１つの追加的なディスプレイ領域を有する少なくとも１つの追加的なＰｏＶディスプレイユニットを備えてもよい。少なくとも１つの追加的なＰｏＶディスプレイユニットは、少なくとも１つの追加的なディスプレイ領域が少なくとも１つのディスプレイ平面からオフセットされるように配置されてもよい。したがって、このディスプレイパネルの全体的なディスプレイ領域は、効率的な方法で効果的に拡張されてもよい。
【００７５】
少なくとも１つの追加的なディスプレイ領域および第５のディスプレイ領域は、互いに同じディスプレイ平面内にあってもよい。したがって、少なくとも１つの追加的なディスプレイ領域は、少なくとも部分的に少なくとも１つのさらなるディスプレイ領域により形成される少なくとも１つのディスプレイ領域のボイドに対応してもよい。
【００７６】
複数のこのようなＰｏＶディスプレイパネルを備えるＰｏＶディスプレイシステムが提供されてもよい。したがって、このディスプレイパネルの全体的なディスプレイ領域は、効率的な方法で効果的に拡張されてもよい。
【００７７】
上述の実施形態は、本発明を例示する実施例として理解されるべきである。本発明には、さらなる実施形態も想定される。
【００７８】
上述の実施例において、ＰｏＶディスプレイユニットは、ＰｏＶ効果を提供するために１つまたは複数の発光エレメントを含む１つまたは複数のアームを備える。他の実施例において、ＰｏＶディスプレイは、ＰｏＶ効果を提供するために１つまたは複数の発光エレメントを含む、アーム以外の部材を備える。別のこうした部材の一例は、ディスクである。たとえば、ＰｏＶディスプレイユニットは、１つまたは複数の発光エレメントを備える、かつＰｏＶ効果を生成するための回転を駆動可能であるディスクを備えてもよい。
【００７９】
任意の１つの実施形態に関して述べた任意の特徴が何れも、単独で、または記述された他の特徴との組合せで使用され得、かつ、他の任意の実施形態、または他の任意の実施形態の任意の組合せ、の１つまたは複数の特徴との組合せでも使用され得ることは、理解されるべきである。さらに、本明細書に記述されていない同等物および変更も、添付の特許請求の範囲に規定される本発明の範囲を逸脱することなく使用され得る。
【図１】
2021529335.tif 000003
【図２】
2021529335.tif 000004
【図３】
2021529335.tif 000005
【図４】
2021529335.tif 000006
【図５】
2021529335.tif 000007
【図６】
2021529335.tif 000008
【図７】
2021529335.tif 000009
【図８】
2021529335.tif 000010
【図９】
2021529335.tif 000011
【図１０】
2021529335.tif 000012
【図１１】
2021529335.tif 000013
【国際調査報告】
2021529335.tif 000014
2021529335.tif 000015